(57)【要約】【課題】遊戯台用の表示器において、従来のものに比べ部品点数を減らし、製造工程と組立工程を容易にしてコスト低減に寄与でき、透明な素材や、多種の色彩を使用することで、より装飾効果を高くする表示器を提供する。【解決手段】遊戯台に固定される取付部２と、該取付部２に架設される支軸３と、該支軸３に嵌合され、かつ、支軸３に所定の角度で固定される揺動部５と、該揺動部５の外周に設けられる保持部４とを有する遊戯台用の表示器１において、前記揺動部５と保持部４とを一体成形する。【選択図】図２
2007044357.tif 000002
【特許請求の範囲】
【請求項１】
遊戯台に固定される取付部と、該取付部に架設される支軸と、該支軸に嵌合され、かつ、支軸に所定の角度で固定される揺動部と、該揺動部の外周に設けられる保持部とを有する遊戯台用の表示器において、前記揺動部と保持部とを一体成形したことを特徴とする遊戯台用の表示器。
【請求項２】
前記揺動部と保持部とを、樹脂で一体成形したことを特徴とする請求項１記載の遊戯台用の表示器。
【請求項３】
前記保持部を、挟持手段で形成したことを特徴とする請求項１又は２記載の遊戯台用の表示器。
【請求項４】
前記保持部を、挿入手段で形成したことを特徴とする請求項１又は２記載の遊戯台用の表示器。
【発明の詳細な説明】
【技術分野】
【０００１】
本発明は遊戯台用の表示器に関する。
【背景技術】
【０００２】
従来、パチンコやスロットのホール等の遊戯場において、遊戯台が大当たりしたとき等に、その情報（状況）を表示して楽しさを強調することが行なわれており、このような情報を表示する手段として、遊戯台のそれぞれの台に、情報を文字や絵で鮮やかに表示したのぼりやプレート等の表示物を複数個保持できる表示器を取り付けて、大当たりなどの状況に合わせて前記表示物を取替えて表示できるようにしている。
【０００３】
このような表示器として、従来、図５及び図６に示すものが知られている。
この表示器１００は、取付部１０１の支持板１０２，１０２間に支軸１０３を架設し、該支軸１０３に円筒状の揺動部１０４を嵌合し、該円筒状の揺動部１０４に、保持部である金属製のコイルバネ１０５，１０６の端部１０７を、前記揺動部１０４の周面に形成された挿通穴１０８に挿入し、この挿通されたコイルバネ１０５，１０６の端部を、揺動部１０４の側面に空けられたネジ穴１０９からネジ１１０を螺挿して、このネジ１１０で固定して構成されていた。
【０００４】
そして、板状の表示物を、コイルバネ１０５の巻線の間に挟持させ、円筒状のコイルバネ１０６に、のぼりの棒を差し込むようにしている。
【０００５】
なお、支軸１０３の外面には、突条１１１が軸方向に形成され、揺動部１０４の軸穴の内面には、前記突条１１１が嵌合する溝条１１２が軸方向に形成され、これら突条１１１と溝条１１２との係合により、揺動部１０４の周方向の位置決めがされるようになっている。
【発明の開示】
【発明が解決しようとする課題】
【０００６】
前記、従来の表示器においては、その構成部品の揺動部１０４、保持部であるコイルバネ１０５，１０６、ネジ１１０が別部品で形成されているため、部品点数が多く、製造コストが嵩む問題がある。
【０００７】
更に前記円筒状の揺動部１０４の周面に挿通穴１０８を形成し、側面にはネジ穴１０９を形成して、組立て時には、前記揺動部１０４の周面の挿通穴１０８に保持部であるコイルバネ１０５，１０６の端部を挿入し、ネジ穴１０９にネジ１１０を螺着させてコイルバネ１０５，１０６の端部を固定する必要があり、組立て作業に手間も要していた。
【０００８】
更には、樹脂製の揺動部１０４に金属製の保持部を付設するため、材質上に違和感あり、装飾効果も少なかった。
【０００９】
そこで本発明は、前記のような揺動部と保持部とを一体に成形することによって前記の課題を解決する遊戯台用の表示器を提供することを目的とするものである。
【課題を解決するための手段】
【００１０】
前記の課題を解決するために、請求項１記載の発明は、遊戯台に固定される取付部と、該取付部に架設される支軸と、該支軸に嵌合され、かつ、支軸に所定の角度で固定される揺動部と、該揺動部の外周に設けられる保持部とを有する遊戯台用の表示器において、前記揺動部と保持部とを一体成形したことを特徴とするものである。
【００１１】
請求項２記載の発明は、請求項１記載の発明において、前記揺動部と保持部とを、樹脂で一体成形したことを特徴とするものである。
【００１２】
請求項３記載の発明は、請求項１又は２記載の発明において、前記保持部を、挟持手段で形成したことを特徴とするものである。
【００１３】
請求項４記載の発明は、請求項１又は２記載の発明において、前記保持部を、挿入手段で形成したことを特徴とするものである。
【発明の効果】
【００１４】
本発明によれば、保持部が揺動部に一体成形されていることから、従来のものに比べて、製品の部品点数を低減し、製造コストの低減と組立作業の容易化を図ることができる。
【００１５】
請求項２記載の発明によれば、樹脂により保持部と揺動部を容易に一体成形できる。
請求項３記載の発明によれば、更に、表示プレートのような板材で形成された表示物を挟持する場合に有効である。
【００１６】
請求項４記載の発明によれば、のぼりのような棒を備えた表示物を保持する場合に有効である。
【発明を実施するための最良の形態】
【００１７】
本発明を実施するための最良の形態を図１乃至図４に示す実施例に基づいて説明する。
【実施例１】
【００１８】
図１は本発明の実施例の遊戯台用の表示器１を示す斜視図、図２は構成部品を分解して示す斜視図である。
【００１９】
表示器１は、図示しない遊戯台に固定されるコ字型の取付部２と、該取付部２に架設されるパイプ状の支軸３と、揺動部５と保持部７とを一体に成形してなる保持体４とから構成されている。
【００２０】
取付部２は遊戯台に取付けられる板状の取付板２ａと、該取付板２ａの両端において、遊戯台への取付面と反対方向、すなわち正面方向へ一体に突設した支持板２ｂ，２ｂとからなる。該両支持板２ｂ，２ｂには、該支持板２ｂ，２ｂが相互に対向する面、すなわち、内側面に突起部２ｃが形成されており、該突起部２ｃは、パイプ状の支軸３の両端に嵌入係止するように円形状に形成され、かつ、該突起部２ｃの上下両端には係止部２ｄが径方向の外側に向って突設されている。該取付板２ａと、両支持板２ｂ，２ｂと、突起部２ｃと、係止部２ｄは樹脂で一体成形されており、両支持板２ｂ，２ｂは、その相互に対向する方向、すなわち、図２のＡ−Ｂ方向に弾性を有するようになっている。
【００２１】
前記両支持板２ｂ，２ｂの間には、パイプ状に形成され、かつ、両支持板２ｂ，２ｂの内側面間の幅と略同長に形成された支軸３が、取付板２ａと平行に配置して、支持板２ｂ，２ｂによって挟持されている。該支軸３の開口した両端部には切欠部３ａが直径方向に対向して刻設されている。そして、支軸３の開口端部を前記支持板２ｂ，２ｂの突起部２ｃに嵌合し、かつ、係止部２ｄを切欠部３ａに嵌合係止して、支軸３が周方向に回転不能に保持されるようになっている。
【００２２】
また、支軸３の外周面には、その支軸３の軸方向に沿って突条の位置決め凸部３ｂが突設されている。
【００２３】
支軸３の外周には保持体４の揺動部５が外嵌されている。保持体４の回転軸である揺動部５は、図２及び図３に示すように、所定の厚さを有する環状に形成され、その中央には前記支軸３が挿通する挿通穴５ａが形成されている。該挿通穴５ａの内周面には、前記位置決め凸部３ｂが嵌合する溝５ｂが、周方向に所定の角度毎に複数個刻設されている。そして、該挿通穴５ａを前記支軸３に挿通するとともに、前記位置決め凸部３ｂを所望の溝５ｂに差し込むことにより、揺動部５が支軸３の周方向に対して位置決めされるようになっている。また、図１及び図３（ｂ）に示すように、揺動部５の軸方向の幅は、支軸３の全長よりも短く形成されており、保持体４を複数個支軸３に挿通配置することができるようになっている。
【００２４】
次に、前記保持部７を、プレートを挟持する挟持手段としての挟持部７ａに形成したものについて説明する。
【００２５】
揺動部５の表面には、挟持手段を構成する腕部６と挟持部７ａが周方向に沿って、すなわち、揺動部５の軸芯と直交する方向に沿って一体に形成されている。腕部６は、揺動部５と一体に形成された連結部６ａと、該連結部６ａの外側に一体に形成された２枚の腕板６ｂ，６ｂとからなる。
【００２６】
該連結部６ａと腕板６ｂ，６ｂは、周方向に所定の幅で形成されている。また、２枚の腕板６ｂ，６ｂは、揺動部５における径方向の外側が近接し、かつ、開口するように股状に形成されている。該２枚の腕板６ｂ，６ｂの間には内部空間６ｃが構成され、その内部空間６ｃは揺動部５の周方向から向って見て、略三角形状になるように形成されており、その三角形状の内部空間６ｃの底面は連結部６ａに接続された基板部６ｅで形成されている。そして、三角形状の略頂点付近となる両腕板６ｂ，６ｂの上部内面は双方が近接するようになっている。
【００２７】
前記腕板６ｂ，６ｂの内面には、舌片６ｄ，６ｄが対向して一体成形されている。該舌片６ｄ，６ｄは腕板６ｂ，６ｂの上方から内部空間６ｃの中心に向って下斜め方向に垂下るように突設され、かつ、舌片６ｄ，６ｄの双方の先端が内部空間６ｃの中心付近で近接して対峙するようになっている。
【００２８】
次に、保持部７を構成する挟持部７ａについて詳述する。
前記の両腕板６ｂ，６ｂの先部には、夫々円形状の挟持片８，９が一体に設けられており、腕板６ｂ，６ｂの幅より、挟持片８，９の外径が大きくなるように設定されている。更に、該挟持片８，９は、揺動部５の軸方向と直交する方向、すなわち、揺動部５の周方向に設けられている。
【００２９】
この挟持部７ａを構成する２枚の挟持片８，９は相互に対向するようにして配置され、図３（ｃ）に示すように、その一方の挟持片８は、その中心に穴部８ａを形成した環状に形成され、その環状部における内片部８ｂの内面は鉛直面に形成されて挟持面８ｃになっており、また、環状部における外片部８ｄは、両挟持片８，９の反対向方向に向かって離間するように傾斜して構成され、その内面が外側へ傾斜して開口するテーパ状の案内面８ｅに形成されている。
【００３０】
他方の挟持片９も前記一方の挟持片８と同様の内片部９ｂと外片部９ｄが形成されており、前記と同様の挟持面９ｃとテーパ状の案内面９ｅが形成されている。なお、内片部９ｂには前記のような穴８ａは形成されていない。
【００３１】
また、前記挟持片９の内面９ａは挟持片８側に向かって凸レンズ状に形成され、その周囲には、断面が半円形の凸部９ｆが、挟持片８側に向かって突設されている。更に、該凸部９ｆの上方側はその突出幅が大きく、下方に至るほどその突出幅が小さくなるように、凸部９ｆの表面が傾斜して形成されている。更に、凸部９ｆは、前記挟持片８の穴部８ａに嵌入できる環状に形成されている。図３においては、穴部８ａや凸部９ｆを明確に表すために、両挟持片８，９を拡げて穴部８ａに凸部９ｃを挿入しない状態を示している。
【００３２】
また、前記揺動部５、腕部６、挟持部７ａからなる保持体４は硬質で軽量なプラスチック等の樹脂で一体に形成され、透明な素材を使用して外観を良くしている。更に、保持体４は、複数個使用するもので、それぞれの色を変えて、更に興趣のあるものにしている。
【００３３】
次に本実施例の組立方法について説明する。
まず、装着したい保持体４を選択し、図２に示すように、支軸３の端部を保持体４の揺動部５に形成された挿通穴５ａに挿通させる。この時、支軸３の切欠部３ａを上方に位置させ、これを基準として保持体４の挟持部７ａの周方向における角度を決定し、その角度において、支軸３の位置決め凸部３ｂと、これと適合する位置に刻設された挿通穴５ａの溝５ｂとを合わせて、揺動部５を支軸３に挿入する。これにより保持体４の周方向への位置決めがされる。更に、本発明では保持体４を複数個（本実施例では３個）使用することから、前記の挿通された保持体４の角度を基準として、同様に残りの保持体４を所望の角度で支軸３に嵌合させる。
【００３４】
次に、取付部２の支持板２ｂ，２ｂ間に、前記のように保持体４を装着した支軸３を装着する。この装着に際しては、支持板２ｂの突起部２ｃと支軸３の開口端を合致させ、突起部２ｃの上下両側に設けられた係止部２ｄに支軸３の切欠部３ａを合致させて、双方の突起部２ｃを支軸３の開口端部に嵌合挿入する。この時、突起部２ｃは数ｍｍの厚さで形成されており、かつ、支持板２ｂが内外方向に弾性をもって撓むことができる程度の厚さに形成されていることから、支軸３の装着時には、両支持板２ｂの一方或いは双方を外側方向に撓ませて開くことによって、支軸３を容易に支持板２ｂ，２ｂに装着できる。また、切欠部３ａに係止部２ｄが係止することにより、支軸３の周方向への回転が阻止され、支軸３は支持板２ｂ，２ｂによって不動に挟持されて架設される。これにより、保持体４は前記のように設定した角度に保持されて取付部２に固定される。
【００３５】
なお、保持体４の角度や種類を変更する場合には、前記と同様に支持板２ｂを外側へ撓ませて支軸３を抜くことにより行なえる。
【００３６】
次に本実施例の作用について説明する。
両挟持片８，９は、図３の対向状態より、その上部が接近した状態で成形されている。
【００３７】
先ず、取付部２の取付板２ａを例えば両面接着テープなどにより遊戯台の前面に取付ける。そして、例えばパチンコの大当たりなどにおいて、表示用のプレートを両挟持片８，９間に差し込む。この差し込み時においては、両挟持片８，９の外片部８ｄ，９ｄの案内面８ｅ，９ｅがラッパ状に開いているため、プレートの差し込みが容易である。
【００３８】
そして、差し込まれたプレートは、両挟持片８，９を、その弾性に抗して外側へ開きながら、両挟持面８ｃ，９ｃを通り、更に、凸部９ｆを通り、舌片６ｄ部に達する。このとき、凸部９ｆの突出幅を上方が大きく、下方が小さくなるようにして、凸部９ｆを傾斜させていることから、表示用のプレートを挿入した際に挟持片８，９が相対的に離間して、挟持片８，９の上方が外側に向かって傾斜しても、凸部９ｆの上方から下方の略全範囲がプレートに当接する。そして、両挟持板８，９の弾性による復元力によってプレートを強固に挟持することができる。また、使用前の状態では、挟持片８の穴部８ａに挟持片９の凸部９ｆが嵌入されるようになっているので、凸部９ｆによるプレートの挟持を強くすることができる。
【００３９】
また、挿入された表示用のプレートの挿入端部は両舌片６ｄ，６ｄにより挟持される。前記のように、表示用のプレートが、接触面積が広く強固に挟持する挟持片８，９と、挟持片８，９の下方に備えられた舌片６ｄ，６ｄとによって２箇所で挟持され、更に、内部空間６ｃの底面にプレートの端部が当接することによって、プレートを安定的に強固に保持することができる。
【００４０】
また、前記の作用を持つ保持体４は、揺動部５と腕部６と挟持部７ａを樹脂により一体にして形成されていることから、前記従来のものに比べ部品点数を減らし、製造工程と組立工程を容易にしてコスト低減に寄与でき、また、樹脂で形成することにより、透明な素材や、多種の色彩を使用することで、より装飾効果を高くすることができる。
【実施例２】
【００４１】
前記実施例１は、保持部７を、プレート挟持用の挟持片８，９で形成したが、保持部７を図１、図２、図４に示すような挿入手段としての筒体１１で形成してもよい。
【００４２】
すなわち、本実施例２は、前記実施例１の揺動部５の外周面に、連結部６ａを一体成形し、該連結部６ａの上部に、水平断面を四角形に形成した有底状の筒体１１を一体成形したものである。更に、該筒体１１の上部には、図４（ｃ）に示すように、上方に向って拡径するように開口した受皿状の開口部１２が形成されている。
【００４３】
その他の構造は前記実施例１と同様であるため、その説明は省略する。
また、材質においても前記実施例１と同様である。
【００４４】
更に、組立方法においても実施例１と同様であるので、その説明を省略する。
次に本実施例の作用について説明する。
【００４５】
本実施例は保持部７を上部が開口した筒体１１で形成していることから、図示しない装飾されたのぼりの棒を該筒体１１に挿入して、揺動部５で設定した所定の角度にのぼりを保持することができる。また、筒部１１の上部に形成された開口部１２が上方に拡径していることにより、のぼりの棒を挿入する際にその棒が案内されて、容易に挿入できる。
【００４６】
更に、実施例１と同様に、保持部７である筒体１１が揺動部５に一体的に成形されていることから、実施例１と同様の作用、効果を発揮できる。
【００４７】
なお、前記実施例１の挟持片８，９を有する保持体７と，前記実施例２の筒体１１を有する保持体７を、１台の表示器１において、適宜選択して使用するもので、図の実施例のように、上記２種の保持体を使用してもよく、また、一種の保持体を使用してもよい。
【図面の簡単な説明】
【００４８】
【図１】本発明の実施例を示す表示器の斜視図。
【図２】図１の表示器の分解斜視図。
【図３】本発明の実施例１おける保持体を示すもので、（ａ）は正面図、（ｂ）は左側面図、（ｃ）は（ａ）におけるＣ−Ｃ線断面図、（ｄ）は上面図。
【図４】本発明の実施例２における保持体を示すもので、（ａ）は正面図、（ｂ）は左側面図、（ｃ）は（ａ）におけるＤ−Ｄ線断面図、（ｄ）は上面図。
【図５】従来の表示器を示す斜視図。
【図６】図５の表示器の分解斜視図。
【符号の説明】
【００４９】
１      表示器
２      取付部
３      支軸
５      揺動部
４      保持体
７      保持部
７ａ    挟持部
８，９  挟持片
１１    筒体
【図１】
2007044357.tif 000003
【図２】
2007044357.tif 000004
【図３】
2007044357.tif 000005
【図４】
2007044357.tif 000006
【図５】
2007044357.tif 000007
【図６】
2007044357.tif 000008